(57)【要約】【課題】室内に吹出す空気吹出し量の調整を容易且つ迅速に行い得るようにした空調装置を提供する。【解決手段】外部チャンバ２内に内部チャンバ４が格納され、内部チャンバ４には外部チャンバ２を貫通して空気取入れダクト６が接続され、内部チャンバ４の下面には外部チャンバ２を貫通して空気案内ボックス８が取付けられ、空気案内ボックス８内には空気吹出し器具９が設置された空調装置１において、内部チャンバ４には、下端が空気吹出し器具９内に位置する把手１４ｄを操作することにより内部チャンバ４を摺動して空気取入れダクト６の開口部６ａの開度を調整し得るようにした箱型ダンパ１４を設ける。【選択図】　　　　図２
2004058790.tif 000002
【特許請求の範囲】
【請求項１】
空気取入れダクトが接続されたチャンバの下面に、空気吹出し口が設けられた空調装置において、前記チャンバ内には、空気吹出し口内に位置する操作手段により操作し得る風量調整手段をチャンバの長手方向へ摺動し得るよう設置し、前記風量調整手段により前記空気取入れダクトの開口部の開度を調整し得るよう構成したことを特徴とする空調装置。
【請求項２】
外部チャンバ内に内部チャンバが格納され、該内部チャンバには前記外部チャンバを貫通して空気取入れダクトが接続され、前記内部チャンバの下面には外部チャンバを貫通して空気案内ボックスが取付けられ、該空気案内ボックス内には空気吹出し器具が設置された空調装置において、前記内部チャンバには、下端が前記空気吹出し器具内に位置する把手を操作することにより前記内部チャンバを摺動させて前記空気取入れダクトの開口部の開度を調整し得るようにした箱型ダンパを設けたことを特徴とする空調装置。
【請求項３】
外部チャンバ内に内部チャンバが格納され、該内部チャンバには前記外部チャンバを貫通して空気取入れダクトが接続され、前記内部チャンバの下面には外部チャンバを貫通して空気案内ボックスが取付けられ、該空気案内ボックス内には空気吹出し器具が設置された空調装置において、前記内部チャンバには、下端が前記空気吹出し器具内に位置する軸部を回動させることによりピニオン及びラックを介して前記内部チャンバに沿い摺動させられ、前記空気取入れダクトの開口部の開度を調整し得るようにしたスライドダンパを設けたことを特徴とする空調装置。
【発明の詳細な説明】
【０００１】
【発明の属する技術分野】
本発明は空調装置に関するものである。
【０００２】
【従来の技術】
建物内部の空調には従来から空調装置が用いられており、従来の空調装置の一例としては例えば図６、図７に示すごときものがある。図中、ａはいわゆるブリーズライン等、ライン状吹出し口を構成する空調装置である。空調装置ａは、所定長さの断面矩形状の外部チャンバｂと外部チャンバｂ内に所定の空隙ｃを隔てて収納された内部チャンバｄとを備えており、空隙ｃ内には断熱材ｅが充填されている。外部チャンバｂ及び内部チャンバｄの両端部は閉塞されている。
【０００３】
内部チャンバｄの長手方向中間部の側部には、外部チャンバｂを貫通して空気取入れダクトｆが接続されており、空気取入れダクトｆの内部には回動可能にダンパｇが配設されている。又、空気取入れダクトｆには、図示されていない送風機からの空気Ａを空調装置ａに供給するためにフレキシブルダクトｈが接続されている。
【０００４】
内部チャンバｄの下面には内部チャンバｄからの空気Ａを案内するために、内部チャンバｄと略同じ長さの空気案内ボックスｉが、外部チャンバｂの底部を貫通して接続されており、空気案内ボックスｉ内には、空気案内ボックスｉと略同じ長さの空気吹出し器具ｊが収納されている。而して、空気吹出し器具ｊ内には長手方向へ所定の間隔で、例えば回動可能な風量調整羽根ｋが配置されており、空気吹出し器具ｊは、空気吹出し器具ｊの下面フランジｌを介して空気案内ボックスｉの下面フランジｍにボルトｎにより取付けられている。なお、ｏは天井板である。
【０００５】
送風機によりフレキシブルダクトｈを通り送給された空気Ａは、空気取入れダクトｆから内部チャンバｄへ導入され、内部チャンバｄから空気案内ボックスｉに案内されて空気吹出し器具ｊに導入され、空気吹出し器具ｊから室内に吹込まれる。
【０００６】
上記空調装置ａにおいて空気吹出し器具ｊからの空気吹出し量を調整する場合は、風量調整羽根ｋの回動により調整可能な時は風量調整羽根ｋを回動調整し、又風量調整羽根ｋでは調整できない場合はダンパｇを回動調整する。
【０００７】
【発明が解決しようとする課題】
上記空調装置ａにおいてダンパｇを回動調整する場合は、ボルトｎを緩めて空気吹出し器具ｊを空気案内ボックスｉから取外し、空気案内ボックスｉから内部チャンバｄ内を通して空気取入れダクトｆ内まで手を伸ばし、手によりダンパｇを回動調整しなければならない。
【０００８】
しかしながら、ダンパｇを回動調整する場合には、上述のように空気案内ボックスｉを取外す作業が必要となり、斯かる作業は一人ではできず二人で行わなければならないため、作業が大掛かりとなると共に作業に時間が掛かる。
【０００９】
本発明は、上述の実情に鑑み、室内に吹出す空気吹出し量の調整を容易且つ迅速に行い得るようにした空調装置を提供することを目的としてなしたものである。
【００１０】
【課題を解決するための手段】
請求項１の空調装置は、空気取入れダクトが接続されたチャンバの下面に、空気吹出し口が設けられた空調装置において、前記チャンバ内には、空気吹出し口内に位置する操作手段により操作し得る風量調整手段をチャンバの長手方向へ摺動し得るよう設置し、前記風量調整手段により前記空気取入れダクトの開口部の開度を調整し得るよう構成したものである。
【００１１】
請求項２の空調装置は、外部チャンバ内に内部チャンバが格納され、該内部チャンバには前記外部チャンバを貫通して空気取入れダクトが接続され、前記内部チャンバの下面には外部チャンバを貫通して空気案内ボックスが取付けられ、該空気案内ボックス内には空気吹出し器具が設置された空調装置において、前記内部チャンバには、下端が前記空気吹出し器具内に位置する把手を操作することにより前記内部チャンバを摺動させて前記空気取入れダクトの開口部の開度を調整し得るようにした箱型ダンパを設けたものである。
【００１２】
請求項３の空調装置は、外部チャンバ内に内部チャンバが格納され、該内部チャンバには前記外部チャンバを貫通して空気取入れダクトが接続され、前記内部チャンバの下面には外部チャンバを貫通して空気案内ボックスが取付けられ、該空気案内ボックス内には空気吹出し器具が設置された空調装置において、前記内部チャンバには、下端が前記空気吹出し器具内に位置する軸部を回動させることによりピニオン及びラックを介して前記内部チャンバに沿い摺動させられ、前記空気取入れダクトの開口部の開度を調整し得るようにしたスライドダンパを設けたものである。
【００１３】
本発明の空調装置によれば、ダンパにより空気吹出し量を調整する場合にも空気吹出し器具を取外す必要がないうえ、ダンパは下から軽く動かすことができるため、室内に吹出す空気吹出し量の調整を容易且つ迅速に行うことができる。
【００１４】
【発明の実施の形態】
以下、本発明の実施の形態を図示例と共に説明する。
図１〜図３は本発明の空調装置の実施の形態の一例である。
ブリーズラインを構成する空調装置１は、所定長さの断面矩形状の外部チャンバ２と外部チャンバ２に所定の空隙３を隔てて収納された内部チャンバ４とを備えており、空隙３内には断熱材５が充填されている。外部チャンバ２と内部チャンバ４の長手方向両端は閉塞されている。
【００１５】
内部チャンバ４の長手方向中間部の側部には、外部チャンバ２を貫通して空気取入れダクト６が接続されており、空気取入れダクト６には、図示されていない送風機からの空気Ａを空調装置１に供給するためにフレキシブルダクト７が接続されている。
【００１６】
内部チャンバ４の下面には内部チャンバ４からの空気Ａを案内するために、内部チャンバ４と略同じ長さの空気案内ボックス８が、外部チャンバ２の底部を貫通して接続されており、空気案内ボックス８内には、空気案内ボックス８と略同じ長さの空気吹出し器具９が収納されている。而して、空気吹出し器具９内には長手方向へ所定の間隔で、例えば回動可能な風向調整羽根１０が配置されており、空気吹出し器具９は、空気吹出し器具９の下面フランジ１１を介して空気案内ボックス８の下面フランジ１２にボルト１３により取付けられている。
【００１７】
内部チャンバ４には、空気取入れダクト６の開口部６ａの開度を調整するための箱型ダンパ１４が内部チャンバ４に沿い摺動可能に格納されている。すなわち、図３に示すように、箱型ダンパ１４は６面のうち５面が開口すると共に空気取入れダクト６の開口部６ａに面した側に遮蔽板１４ａが取付けられた直方体状の枠体１４ｂと、枠体１４ｂの下部に取付けられた支持部材１４ｃに取付けられて下方へ延在する把手１４ｄを備えている。
【００１８】
而して、箱型ダンパ１４を内部チャンバ４に格納した場合には、把手１４ｄの下端は空気吹出し器具９内に位置しており、把手１４ｄを掴んで枠体１４ｂを移動させることにより、枠体１４ｂは内部チャンバ４に対し摺動し、遮蔽板１４ａにより開口部６ａの開度を調整し得るようになっている。なお、１５は天井板である。
【００１９】
次に、上記図示例の作動を説明する。
送風機によりフレキシブルダクト７を通り送給された空気Ａは、空気取入れダクト６から内部チャンバ４へ導入され、内部チャンバ４から空気案内ボックス８に案内されて空気吹出し器具９に導入され、空気吹出し器具９から室内に吹込まれる。
【００２０】
上記空調装置１において空気吹出し器具９からの空気吹出し量を調整する場合は、風向調整羽根１０の回動により調整する時は風向調整羽根１０を回動調整し、又風向調整羽根１０で調整せずに箱型ダンパ１４により調整する時は、下方から空気吹出し器具９内に指を入れて把手１４ｄを掴み、把手１４ｄにより箱型ダンパ１４を内部チャンバ４内で長手方向へ移動させ、開口部６ａの開度を調整する。
【００２１】
上記図示例によれば、箱型ダンパ１４により空気吹出し量を調整する場合にも空気吹出し器具９を取外す必要がないうえ、箱型ダンパ１４は把手１４ｄにより下から軽く動かすことができるため、室内に吹出す空気吹出し量の調整を容易且つ迅速に行うことができる。
【００２２】
図４、図５は本発明の空調装置の実施の形態の他の例である。図中、図１、図２に示すものと同一のものには同一の符号が付してあり、本図示例の特徴とするところは、空気取入れダクト６の開口部６ａの開度を調整するために下からドライバ等の工具を使用してスライドダンパを動かすことができるようにしたことである。
【００２３】
すなわち、内部チャンバ４の空気取入れダクト６接続側の内面には、開口部６ａの上下部に位置すると共に内部チャンバ４内の長手方向の一方へ水平に延在するよう案内レール１６が取付けられ、案内レール１６には、摺動可能にスライドダンパ１７の上下端部が嵌合されている。又、スライドダンパ１７の内面には、案内レール１６と平行にラック１８が取付けられている。
【００２４】
内部チャンバ４内の所定位置には軸受１９が設置され、軸受１９には回転可能に縦軸２０が嵌合されている。又、縦軸２０の上端部にはラック１８に対し噛合するピニオン２１が外嵌されており、縦軸２０の下端は下方へ延在して空気吹出し器具９内に位置している。而して、縦軸２０の下端には、ドライバ２２により縦軸２０を回転させ得るよう操作部２０ａが設けられている。
【００２５】
送風機によりフレキシブルダクト７を通り送給された空気Ａは、上述の図示例と同様、空気取入れダクト６から内部チャンバ４へ導入され、内部チャンバ４から空気案内ボックス８に案内されて空気吹出し器具９に導入され、空気吹出し器具９から室内に吹込まれる。
【００２６】
上記空調装置１において空気吹出し器具９からの空気吹出し量を調整する場合は、風向調整羽根１０の回動により調整する時は風向調整羽根１０を回動調整し、又風向調整羽根１０では調整せずにスライドダンパ１７により調整する時は、下方からドライバ２２の先端を空気吹出し器具９内部に突っ込んで縦軸２０下端の操作部２０ａに嵌合させ、ドライバ２２により縦軸２０を回動させる。このため、ピニオン２１が回転してラック１８を介しスライドダンパ１７が案内レール１６に対し摺動し、スライドダンパ１７により開口部６ａの開度が調整される。
【００２７】
上記図示例によれば、スライドダンパ１７により空気吹出し量を調整する場合にも空気吹出し器具９を取外す必要がないうえ、スライドダンパ１７はドライバ２２により、下から軽く動かすことができるため、室内に吹出す空気吹出し量の調整を容易且つ迅速に行うことができる。
【００２８】
なお、本発明の空調装置は、上述の図示例にのみ限定されるものではなく、本発明の要旨を逸脱しない範囲内において種々変更を加え得ることは勿論である。
【００２９】
【発明の効果】
以上、説明したように本発明の請求項１〜３に記載の空調装置によれば、ダンパにより空気吹出し量を調整する場合にも空気吹出し器具を取外す必要がないうえ、ダンパは下から軽く動かすことができるため、室内に吹出す空気吹出し量の調整を容易且つ迅速に行うことができる、という優れた効果を奏し得る。
【図面の簡単な説明】
【図１】本発明の空調装置の実施の形態の一例を示す側面図である。
【図２】図１のＩＩ−ＩＩ方向矢視図である。
【図３】図１、図２に示す空調装置に使用する箱型ダンパの斜視図である。
【図４】本発明の空調装置の実施の形態の他の例の側面図である。
【図５】図４のＶ−Ｖ方向矢視図である。
【図６】従来の空調装置の一例を示す側面図である。
【図７】図６のＶＩＩ−ＶＩＩ方向矢視図である。
【符号の説明】
１　　空調装置
２　　外部チャンバ
４　　内部チャンバ（チャンバ）
６　　空気取入れダクト
６ａ　　　　　　　　開口部
８　　空気案内ボックス
９　　空気吹出し器具（空気吹出し口）
１４　　箱型ダンパ（風量調整手段）
１４ｄ　　　　　　　　把手（操作手段）
１７　　スライドダンパ（風量調整手段）
１８　　ラック
２０　　縦軸（軸部）
２１　　ピニオン
【図１】
2004058790.tif 000003
【図２】
2004058790.tif 000004
【図３】
2004058790.tif 000005
【図４】
2004058790.tif 000006
【図５】
2004058790.tif 000007
【図６】
2004058790.tif 000008
【図７】
2004058790.tif 000009